(57)【要約】【課題】防振レンズ群の駆動機構への負担を小さくし、レンズ系全体（さらには防振レンズ群の駆動機構を含んだ装置全体）を小型化し、さらにコストダウンを図り、とりわけ防振駆動時（防振レンズ群の偏芯時）に収差を良好に補正して優れた光学性能を得ることができるズームレンズ系を得る。【解決手段】ズームレンズ系は、物体側から順に、負の第１レンズ群、正の第２レンズ群、負の第３レンズ群および正の第４レンズ群からなる。ワイド端からテレ端への変倍に際し、少なくとも、第１レンズ群、第２レンズ群および第４レンズ群が光軸方向に移動する。第３レンズ群は、物体側から順に、負の第３ａレンズ群と負の第３ｂレンズ群とからなる。第３ｂレンズ群は、負単レンズと正単レンズとからなり、この負単レンズと正単レンズとの間に空気レンズが形成されている。【選択図】図１
2015087680.tif 000002
【特許請求の範囲】
【請求項１】
物体側から順に、負の屈折力の第１レンズ群、正の屈折力の第２レンズ群、負の屈折力の第３レンズ群および正の屈折力の第４レンズ群からなるズームレンズ系において、
短焦点距離端から長焦点距離端への変倍に際し、少なくとも、第１レンズ群、第２レンズ群および第４レンズ群が光軸方向に移動し、
第３レンズ群は、物体側から順に、負の屈折力の第３ａレンズ群と負の屈折力の第３ｂレンズ群とからなり、
第３ｂレンズ群は、負単レンズと正単レンズとからなり、この負単レンズと正単レンズとの間に空気レンズが形成されている、
ことを特徴とするズームレンズ系。
【請求項２】
請求項１記載のズームレンズ系において、第３ｂレンズ群は、物体側から順に、像側に凹面を向けた負単レンズと物体側に凸面を向けた正単レンズとからなり、この負単レンズと正単レンズとの間に、物体側に凸のメニスカス形状の空気レンズが形成されているズームレンズ系。
【請求項３】
請求項１または２記載のズームレンズ系において、次の条件式（１）を満足するズームレンズ系。
（１）０．１＜Ｒｉ／Ｒｏ＜１．１
但し、
Ｒｉ：第３ｂレンズ群中の空気レンズの像側の面の曲率半径、
Ｒｏ：第３ｂレンズ群中の空気レンズの物体側の面の曲率半径。
【請求項４】
請求項１ないし３のいずれか１項記載のズームレンズ系において、第３ｂレンズ群中の空気レンズの焦点距離が正の値をとるズームレンズ系。
【請求項５】
請求項１ないし４のいずれか１項記載のズームレンズ系において、次の条件式（２）を満足するズームレンズ系。
（２）−０．７＜（Ｒ３ａｏ＋Ｒ３ａｉ）／（Ｒ３ａｏ−Ｒ３ａｉ）＜０．３
但し、
Ｒ３ａｏ：第３ａレンズ群の最も物体側の面の曲率半径、
Ｒ３ａｉ：第３ａレンズ群の最も像側の面の曲率半径。
【請求項６】
請求項１ないし５のいずれか１項記載のズームレンズ系において、次の条件式（３）を満足するズームレンズ系。
（３）−１．１＜（Ｒ３ａｉ＋Ｒ３ｂｏ）／（Ｒ３ａｉ−Ｒ３ｂｏ）＜０．７
但し、
Ｒ３ａｉ：第３ａレンズ群の最も像側の面の曲率半径、
Ｒ３ｂｏ：第３ｂレンズ群の最も物体側の面の曲率半径。
【請求項７】
請求項１ないし６のいずれか１項記載のズームレンズ系において、次の条件式（４）および（５）を満足するズームレンズ系。
（４）−０．７＜（１−ｍ３ｂＳ）・ｍ４Ｓ＜−０．２
（５）−０．８＜（１−ｍ３ｂＬ）・ｍ４Ｌ＜−０．３
但し、
ｍ３ｂＳ：短焦点距離端における無限遠合焦時の第３ｂレンズ群の横倍率、
ｍ４Ｓ：短焦点距離端における無限遠合焦時の第４レンズ群の横倍率、
ｍ３ｂＬ：長焦点距離端における無限遠合焦時の第３ｂレンズ群の横倍率、
ｍ４Ｌ：長焦点距離端における無限遠合焦時の第４レンズ群の横倍率。
【請求項８】
請求項１ないし７のいずれか１項記載のズームレンズ系において、短焦点距離端から長焦点距離端への変倍に際し、第３レンズ群が光軸方向に移動しないズームレンズ系。
【請求項９】
請求項１ないし７のいずれか１項記載のズームレンズ系において、短焦点距離端から長焦点距離端への変倍に際し、第３レンズ群が光軸方向に移動するズームレンズ系。
【発明の詳細な説明】
【技術分野】
【０００１】
本発明は、ズームレンズ系、特に一眼レフカメラに用いて好適な広角ズームレンズ系に関する。また本発明は、手振れ等に起因する像ずれを補正するために、レンズ系の一部を偏芯させることができるレンズ内防振ズーム光学系に関する。
【背景技術】
【０００２】
負の屈折力のレンズ群を最も物体側に配置した、所謂、負先行（ネガティブリード）型のズームレンズ系は、広画角化および、焦点距離に比して長いバックフォーカスを確保することが比較的容易なことから、一眼レフカメラ用の広角ズームレンズ系に多く用いられている。
【０００３】
負先行（ネガティブリード）型のズームレンズ系の中でも、レンズ系の一部を光軸と略直交する方向に偏芯させることで、手振れ等に起因する結像位置のずれを補正する、所謂、防振機能を搭載したズームレンズ系が提案されている（特許文献１−４）。
【０００４】
このようなレンズ内防振ズーム光学系では、防振レンズ群が偏芯した状態における偏芯コマ収差、像面倒れなどの収差を良好に補正し、防振駆動時の収差変動を低減することが要求される。
【０００５】
この点、特許文献１−４の防振ズームレンズ系は、比較的高い光学性能が要求される高画素数のデジタルスチルカメラ等に適用するためには、防振駆動時（防振レンズ群の偏芯時）の収差補正さらには光学性能が不十分である。
【０００６】
防振駆動時の光学性能を高めるためには、防振レンズ群のレンズ枚数を増やす、或いは防振レンズ群に非球面レンズを用いるなどによって、防振レンズ群の設計自由度を高め、レンズ群内で発生する収差を小さくすることが効果的である。
【０００７】
しかし、防振レンズ群のレンズ枚数をむやみに増やすと、防振レンズ群の駆動機構への負担が大きくなり、レンズ系全体（さらには防振レンズ群の駆動機構を含んだ装置全体）の大型化にもつながる。また、防振レンズ群のレンズ枚数の増大や非球面レンズの使用はコストアップの要因となる。
【先行技術文献】
【特許文献】
【０００８】
【特許文献１】特開平７−１５２００２号公報
【特許文献２】特開２００４−６１９１０号公報
【特許文献３】特開２０１０−１７００６１号公報
【特許文献４】特開２０１０−２１７５３５号公報
【発明の概要】
【発明が解決しようとする課題】
【０００９】
本発明は、以上の問題意識に基づいてなされたものであり、防振レンズ群の駆動機構への負担を小さくし、レンズ系全体（さらには防振レンズ群の駆動機構を含んだ装置全体）を小型化し、さらにコストダウンを図り、とりわけ防振駆動時（防振レンズ群の偏芯時）に収差を良好に補正して優れた光学性能を得ることができるズームレンズ系を得ることを目的とする。
【課題を解決するための手段】
【００１０】
本発明は、物体側から順に、負の屈折力の第１レンズ群、正の屈折力の第２レンズ群、負の屈折力の第３レンズ群および正の屈折力の第４レンズ群からなるズームレンズ系において、短焦点距離端から長焦点距離端への変倍に際し、少なくとも、第１レンズ群、第２レンズ群および第４レンズ群が光軸方向に移動し、第３レンズ群は、物体側から順に、負の屈折力の第３ａレンズ群と負の屈折力の第３ｂレンズ群とからなり、第３ｂレンズ群は、負単レンズと正単レンズとからなり、この負単レンズと正単レンズとの間に空気レンズが形成されている、ことを特徴としている。
【００１１】
第３ｂレンズ群は、具体的には、物体側から順に、像側に凹面を向けた負単レンズと物体側に凸面を向けた正単レンズとから構成し、この負単レンズと正単レンズとの間に、物体側に凸のメニスカス形状の空気レンズを形成することが好ましい。
【００１２】
本発明のズームレンズ系は、次の条件式（１）を満足することが好ましい。
（１）０．１＜Ｒｉ／Ｒｏ＜１．１
但し、
Ｒｉ：第３ｂレンズ群中の空気レンズの像側の面の曲率半径、
Ｒｏ：第３ｂレンズ群中の空気レンズの物体側の面の曲率半径、
である。
【００１３】
第３ｂレンズ群中の空気レンズの焦点距離は正の値をとることが好ましい。
【００１４】
本発明のズームレンズ系は、次の条件式（２）を満足することが好ましい。
（２）−０．７＜（Ｒ３ａｏ＋Ｒ３ａｉ）／（Ｒ３ａｏ−Ｒ３ａｉ）＜０．３
但し、
Ｒ３ａｏ：第３ａレンズ群の最も物体側の面の曲率半径、
Ｒ３ａｉ：第３ａレンズ群の最も像側の面の曲率半径、
である。
【００１５】
本発明のズームレンズ系は、次の条件式（３）を満足することが好ましい。
（３）−１．１＜（Ｒ３ａｉ＋Ｒ３ｂｏ）／（Ｒ３ａｉ−Ｒ３ｂｏ）＜０．７
但し、
Ｒ３ａｉ：第３ａレンズ群の最も像側の面の曲率半径、
Ｒ３ｂｏ：第３ｂレンズ群の最も物体側の面の曲率半径、
である。
【００１６】
本発明のズームレンズ系は、次の条件式（４）および（５）を満足することが好ましい。
（４）−０．７＜（１−ｍ３ｂＳ）・ｍ４Ｓ＜−０．２
（５）−０．８＜（１−ｍ３ｂＬ）・ｍ４Ｌ＜−０．３
但し、
ｍ３ｂＳ：短焦点距離端における無限遠合焦時の第３ｂレンズ群の横倍率、
ｍ４Ｓ：短焦点距離端における無限遠合焦時の第４レンズ群の横倍率、
ｍ３ｂＬ：長焦点距離端における無限遠合焦時の第３ｂレンズ群の横倍率、
ｍ４Ｌ：長焦点距離端における無限遠合焦時の第４レンズ群の横倍率、
である。
【００１７】
第３レンズ群は、短焦点距離端から長焦点距離端への変倍に際し、光軸方向に移動させない（像面に対して固定する）ことができる。あるいは、第３レンズ群は、短焦点距離端から長焦点距離端への変倍に際し、光軸方向に移動させることもできる。
【発明の効果】
【００１８】
本発明によれば、防振レンズ群の駆動機構への負担を小さくし、レンズ系全体（さらには防振レンズ群の駆動機構を含んだ装置全体）を小型化し、さらにコストダウンを図り、とりわけ防振駆動時（防振レンズ群の偏芯時）に収差を良好に補正して優れた光学性能を得ることができるズームレンズ系が得られる。
【図面の簡単な説明】
【００１９】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の短焦点距離端における無限遠合焦時の横収差図である。
【図４】図１のように構成されたズームレンズ系の中間焦点距離における無限遠合焦時の諸収差図である。
【図５】図１のように構成されたズームレンズ系の中間焦点距離における無限遠合焦時の横収差図である。
【図６】図１のように構成されたズームレンズ系の長焦点距離端における無限遠合焦時の諸収差図である。
【図７】図１のように構成されたズームレンズ系の長焦点距離端における無限遠合焦時の横収差図である。
【図８】図１のように構成されたズームレンズ系の短焦点距離端における無限遠合焦時に防振レンズ群を偏芯したときの横収差図である。
【図９】図１のように構成されたズームレンズ系の中間焦点距離における無限遠合焦時に防振レンズ群を偏芯したときの横収差図である。
【図１０】図１のように構成されたズームレンズ系の長焦点距離端における無限遠合焦時に防振レンズ群を偏芯したときの横収差図である。
【図１１】本発明によるズームレンズ系の数値実施例２の短焦点距離端における無限遠合焦時のレンズ構成図である。
【図１２】図１１のように構成されたズームレンズ系の短焦点距離端における無限遠合焦時の諸収差図である。
【図１３】図１１のように構成されたズームレンズ系の短焦点距離端における無限遠合焦時の横収差図である。
【図１４】図１１のように構成されたズームレンズ系の中間焦点距離における無限遠合焦時の諸収差図である。
【図１５】図１１のように構成されたズームレンズ系の中間焦点距離における無限遠合焦時の横収差図である。
【図１６】図１１のように構成されたズームレンズ系の長焦点距離端における無限遠合焦時の諸収差図である。
【図１７】図１１のように構成されたズームレンズ系の長焦点距離端における無限遠合焦時の横収差図である。
【図１８】図１１のように構成されたズームレンズ系の短焦点距離端における無限遠合焦時に防振レンズ群を偏芯したときの横収差図である。
【図１９】図１１のように構成されたズームレンズ系の中間焦点距離における無限遠合焦時に防振レンズ群を偏芯したときの横収差図である。
【図２０】図１１のように構成されたズームレンズ系の長焦点距離端における無限遠合焦時に防振レンズ群を偏芯したときの横収差図である。
【図２１】本発明によるズームレンズ系の数値実施例３の短焦点距離端における無限遠合焦時のレンズ構成図である。
【図２２】図２１のように構成されたズームレンズ系の短焦点距離端における無限遠合焦時の諸収差図である。
【図２３】図２１のように構成されたズームレンズ系の短焦点距離端における無限遠合焦時の横収差図である。
【図２４】図２１のように構成されたズームレンズ系の中間焦点距離における無限遠合焦時の諸収差図である。
【図２５】図２１のように構成されたズームレンズ系の中間焦点距離における無限遠合焦時の横収差図である。
【図２６】図２１のように構成されたズームレンズ系の長焦点距離端における無限遠合焦時の諸収差図である。
【図２７】図２１のように構成されたズームレンズ系の長焦点距離端における無限遠合焦時の横収差図である。
【図２８】図２１のように構成されたズームレンズ系の短焦点距離端における無限遠合焦時に防振レンズ群を偏芯したときの横収差図である。
【図２９】図２１のように構成されたズームレンズ系の中間焦点距離における無限遠合焦時に防振レンズ群を偏芯したときの横収差図である。
【図３０】図２１のように構成されたズームレンズ系の長焦点距離端における無限遠合焦時に防振レンズ群を偏芯したときの横収差図である。
【図３１】本発明によるズームレンズ系の数値実施例４の短焦点距離端における無限遠合焦時のレンズ構成図である。
【図３２】図３１のように構成されたズームレンズ系の短焦点距離端における無限遠合焦時の諸収差図である。
【図３３】図３１のように構成されたズームレンズ系の短焦点距離端における無限遠合焦時の横収差図である。
【図３４】図３１のように構成されたズームレンズ系の中間焦点距離における無限遠合焦時の諸収差図である。
【図３５】図３１のように構成されたズームレンズ系の中間焦点距離における無限遠合焦時の横収差図である。
【図３６】図３１のように構成されたズームレンズ系の長焦点距離端における無限遠合焦時の諸収差図である。
【図３７】図３１のように構成されたズームレンズ系の長焦点距離端における無限遠合焦時の横収差図である。
【図３８】図３１のように構成されたズームレンズ系の短焦点距離端における無限遠合焦時に防振レンズ群を偏芯したときの横収差図である。
【図３９】図３１のように構成されたズームレンズ系の中間焦点距離における無限遠合焦時に防振レンズ群を偏芯したときの横収差図である。
【図４０】図３１のように構成されたズームレンズ系の長焦点距離端における無限遠合焦時に防振レンズ群を偏芯したときの横収差図である。
【図４１】本発明によるズームレンズ系の数値実施例５の短焦点距離端における無限遠合焦時のレンズ構成図である。
【図４２】図４１のように構成されたズームレンズ系の短焦点距離端における無限遠合焦時の諸収差図である。
【図４３】図４１のように構成されたズームレンズ系の短焦点距離端における無限遠合焦時の横収差図である。
【図４４】図４１のように構成されたズームレンズ系の中間焦点距離における無限遠合焦時の諸収差図である。
【図４５】図４１のように構成されたズームレンズ系の中間焦点距離における無限遠合焦時の横収差図である。
【図４６】図４１のように構成されたズームレンズ系の長焦点距離端における無限遠合焦時の諸収差図である。
【図４７】図４１のように構成されたズームレンズ系の長焦点距離端における無限遠合焦時の横収差図である。
【図４８】図４１のように構成されたズームレンズ系の短焦点距離端における無限遠合焦時に防振レンズ群を偏芯したときの横収差図である。
【図４９】図４１のように構成されたズームレンズ系の中間焦点距離における無限遠合焦時に防振レンズ群を偏芯したときの横収差図である。
【図５０】図４１のように構成されたズームレンズ系の長焦点距離端における無限遠合焦時に防振レンズ群を偏芯したときの横収差図である。
【図５１】本発明によるズームレンズ系の数値実施例６の短焦点距離端における無限遠合焦時のレンズ構成図である。
【図５２】図５１のように構成されたズームレンズ系の短焦点距離端における無限遠合焦時の諸収差図である。
【図５３】図５１のように構成されたズームレンズ系の短焦点距離端における無限遠合焦時の横収差図である。
【図５４】図５１のように構成されたズームレンズ系の中間焦点距離における無限遠合焦時の諸収差図である。
【図５５】図５１のように構成されたズームレンズ系の中間焦点距離における無限遠合焦時の横収差図である。
【図５６】図５１のように構成されたズームレンズ系の長焦点距離端における無限遠合焦時の諸収差図である。
【図５７】図５１のように構成されたズームレンズ系の長焦点距離端における無限遠合焦時の横収差図である。
【図５８】図５１のように構成されたズームレンズ系の短焦点距離端における無限遠合焦時に防振レンズ群を偏芯したときの横収差図である。
【図５９】図５１のように構成されたズームレンズ系の中間焦点距離における無限遠合焦時に防振レンズ群を偏芯したときの横収差図である。
【図６０】図５１のように構成されたズームレンズ系の長焦点距離端における無限遠合焦時に防振レンズ群を偏芯したときの横収差図である。
【図６１】本発明によるズームレンズ系のズーム軌跡を示す第１の簡易移動図である。
【図６２】本発明によるズームレンズ系のズーム軌跡を示す第２の簡易移動図である。
【発明を実施するための形態】
【００２０】
本実施形態のズームレンズ系は、全数値実施例１−６を通じて、図６１、図６２の簡易移動図に示すように、物体側から順に、負の屈折力の第１レンズ群Ｇ１、正の屈折力の第２レンズ群Ｇ２、負の屈折力の第３レンズ群Ｇ３および正の屈折力の第４レンズ群Ｇ４からなる。第３レンズ群Ｇ３は、物体側から順に、負の屈折力の第３ａレンズ群Ｇ３ａと負の屈折力の第３ｂレンズ群Ｇ３ｂとからなる。第２レンズ群Ｇ２と第３レンズ群Ｇ３との間には絞りＳが位置しており、この絞りＳは、第２レンズ群Ｇ２と一体に移動する。Ｉは像面である。
【００２１】
本実施形態のズームレンズ系は、全数値実施例１−６を通じて、図６１、図６２の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が減少し、第２レンズ群Ｇ２と第３レンズ群Ｇ３の間隔が増大し、第３レンズ群Ｇ３と第４レンズ群Ｇ４の間隔が減少する。
第１レンズ群Ｇ１は、全数値実施例１−６を通じて、短焦点距離端から長焦点距離端への変倍に際し、単調に像側に移動するか、あるいは一旦像側に移動した後に若干量だけ物体側に戻る。なお、第１レンズ群Ｇ１は、短焦点距離端から長焦点距離端への変倍に際し、物体側に移動する態様、または一旦物体側もしくは像側に移動した後に短焦点距離端の位置に戻る（Ｕターンする）態様も可能である。
第２レンズ群Ｇ２および第４レンズ群Ｇ４は、全数値実施例１−６を通じて、短焦点距離端から長焦点距離端への変倍に際し、単調に物体側に移動する。
第３レンズ群Ｇ３は、図６１の簡易移動図に示すように、数値実施例１、２、４−６では、短焦点距離端から長焦点距離端への変倍に際し、光軸方向に移動しない（像面Ｉに対して固定されている）。第３レンズ群Ｇ３は、図６２の簡易移動図に示すように、数値実施例３では、短焦点距離端から長焦点距離端への変倍に際し、物体側に移動する。
【００２２】
第１レンズ群Ｇ１は、全数値実施例１−６を通じて、物体側から順に、物体側に凸の負メニスカスレンズ１１、物体側に凸の負メニスカスレンズ１２、両凹負レンズ１３および両凸正レンズ１４からなる。負メニスカスレンズ１１は、ガラスレンズの像側の面に合成樹脂材料による非球面層が接着形成されたハイブリッドレンズからなる。
【００２３】
第２レンズ群Ｇ２は、全数値実施例１−６を通じて、物体側から順に、物体側に凸の正メニスカスレンズ２１、物体側から順に位置する物体側に凸の負メニスカスレンズ２２と両凸正レンズ２３の接合レンズ、および両凸正レンズ２４からなる。
【００２４】
第３ａレンズ群Ｇ３ａは、全数値実施例１−６を通じて、物体側から順に位置する両凹負レンズ３１と両凸正レンズ３２の接合レンズからなる。
【００２５】
第３ｂレンズ群Ｇ３ｂは、全数値実施例１−６を通じて、光軸に略直交する方向に移動（偏芯）して結像位置を変位させることにより手ぶれ等に起因する像ぶれを補正する像ぶれ補正レンズ群（防振レンズ群）である。
第３ｂレンズ群Ｇ３ｂは、数値実施例１、２、４、５では、物体側から順に、両凹負レンズ（像側に凹面を向けた負単レンズ）３３と物体側に凸の正メニスカスレンズ（物体側に凸面を向けた正単レンズ）３４とからなり、この両凹負レンズ３３と正メニスカスレンズ３４との間に、物体側に凸のメニスカス形状の空気レンズが形成されている。
第３ｂレンズ群Ｇ３ｂは、数値実施例３では、物体側から順に、物体側に凸の負メニスカスレンズ（像側に凹面を向けた負単レンズ）３３と物体側に凸の正メニスカスレンズ（物体側に凸面を向けた正単レンズ）３４とからなり、この負メニスカスレンズ３３と正メニスカスレンズ３４との間に、物体側に凸のメニスカス形状の空気レンズが形成されている。
第３ｂレンズ群Ｇ３ｂは、数値実施例６では、物体側から順に、両凹負レンズ（像側に凹面を向けた負単レンズ）３３と両凸正レンズ（物体側に凸面を向けた正単レンズ）３４とからなり、この両凹負レンズ３３と両凸正レンズ３４との間に、物体側に凸のメニスカス形状の空気レンズが形成されている。
【００２６】
第４レンズ群Ｇ４は、数値実施例１−３では、物体側から順に、物体側から順に位置する両凸正レンズ４１と両凹負レンズ４２と両凸正レンズ４３の接合レンズ、および物体側から順に位置する両凹負レンズ４４と両凸正レンズ４５の接合レンズからなる。両凹負レンズ４４は、ガラスレンズの物体側の面に合成樹脂材料による非球面層が接着形成されたハイブリッドレンズからなる。
第４レンズ群Ｇ４は、数値実施例４−６では、物体側から順に、物体側から順に位置する物体側に凸の平凸正レンズ４１と像側に凹の平凹負レンズ４２と両凸正レンズ４３の接合レンズ、および物体側から順に位置する両凹負レンズ４４と両凸正レンズ４５の接合レンズからなる。両凹負レンズ４４は、ガラスレンズの物体側の面に合成樹脂材料による非球面層が接着形成されたハイブリッドレンズからなる。
【００２７】
本実施形態のズームレンズ系は、負正負正の負先行（ネガティブリード）型の４群ズームレンズ構成を前提としている。この前提構成において、負の屈折力の第３レンズ群Ｇ３は、負の屈折力の第３ａレンズ群Ｇ３ａと負の屈折力の第３ｂレンズ群Ｇ３ｂとに分割される。さらに、第３ｂレンズ群Ｇ３ｂは、負単レンズ３３と正単レンズ３４とから構成され、この負単レンズ３３と正単レンズ３４との間に空気レンズが形成される。つまり、負単レンズ３３と正単レンズ３４は接合されておらず、両レンズが空気間隔を隔てて配置されている。
【００２８】
上述したように、第３ｂレンズ群Ｇ３ｂは、光軸に略直交する方向に移動（偏芯）して結像位置を変位させることにより手ぶれ等に起因する像ぶれを補正する像ぶれ補正レンズ群（防振レンズ群）である。
【００２９】
本実施形態のズームレンズ系は、防振レンズ群である第３ｂレンズ群Ｇ３ｂの構成と屈折力を最適設定することにより、通常状態（防振レンズ群が偏芯していない状態）および防振駆動状態（防振レンズ群が偏芯している状態）の収差変動を抑え、とりわけ防振駆動時に収差を良好に補正して優れた光学性能を得ることに成功している。
【００３０】
防振レンズ群である第３ｂレンズ群Ｇ３ｂを負単レンズ３３と正単レンズ３４とから構成することにより、偏芯色収差を良好に補正することができる。また、負単レンズ３３と正単レンズ３４との間に空気レンズを形成することにより、収差補正の自由度を高め、防振レンズ群である第３ｂレンズ群Ｇ３ｂの偏芯に伴う偏芯コマ収差を良好に補正することができる。
【００３１】
さらに、負単レンズ３３を像側に凹面を向けた形状（両凹形状または物体側に凸のメニスカス形状）とし、かつ正単レンズ３４を物体側に凸面を向けた形状（両凸形状または物体側に凸のメニスカス形状）として、両レンズの間に形成される空気レンズの両面を物体側に凸とする（物体側に凸のメニスカス形状とする）ことにより、球面収差を良好に補正するとともに、防振レンズ群である第３ｂレンズ群Ｇ３ｂの偏芯に伴う偏芯コマ収差を良好に補正することができる。
【００３２】
第３ｂレンズ群Ｇ３ｂ中の負単レンズ３３と正単レンズ３４との間に形成される空気レンズは、その焦点距離が正の値をとることが好ましい。仮に、第３ｂレンズ群Ｇ３ｂ中の空気レンズの焦点距離が負の値になると、空気レンズの両面で過大な球面収差の打ち消しが発生し、空気レンズの面間偏芯による収差変動が大きくなり、実用上の性能を維持することが難しくなる。
【００３３】
本実施形態のズームレンズ系は、防振レンズ群のレンズ枚数の増大や非球面レンズの使用といった手法に頼ることなく、防振駆動時の光学性能を高めている。つまり、防振レンズ群である第３ｂレンズ群Ｇ３ｂは負単レンズ３３と正単レンズ３４の２枚のレンズで構成されており、第３ｂレンズ群Ｇ３ｂ内に非球面レンズは使用していない。このため、防振レンズ群の駆動機構への負担を小さくし、レンズ系全体（さらには防振レンズ群の駆動機構を含んだ装置全体）を小型化し、さらにコストダウンを図ることができる。
【００３４】
本実施形態のズームレンズ系では、数値実施例１、２、４−６において、第３レンズ群Ｇ３が、短焦点距離端から長焦点距離端への変倍に際し、光軸方向に移動しない（像面Ｉに対して固定されている）。この態様によれば、変倍に伴う可動部を少なくすることで、鏡枠の機械構造を簡略化し、コストを抑えることができる。また、製造誤差の発生要因が減少するため実用上の光学性能を維持する上で有利となる。さらに、本実施形態のように第３ｂレンズ群Ｇ３ｂを防振レンズ群とした場合には、防振駆動機構を変倍機構から独立して構成できるため、レンズ外径の縮小にもつながる。
一方、数値実施例３においては、第３レンズ群Ｇ３が、短焦点距離端から長焦点距離端への変倍に際し、光軸方向に移動する。この態様によれば、変倍に伴う収差変動を補正する自由度が増えるので、収差補正の点で有利となる。
このように、変倍時の第３レンズ群Ｇ３の移動の有無に関わらず、本実施形態のズームレンズ系を適用することができる。
【００３５】
本実施形態のズームレンズ系は、特に一眼レフカメラに用いて好適な光学系であるが、適用対象とする撮像装置は一眼レフカメラであっても、クイックリターンミラー等を有さない、所謂、ノンレフレックス（ミラーレス）カメラであってもよい。
【００３６】
本実施形態のズームレンズ系は、第３ｂレンズ群Ｇ３ｂを防振レンズ群としたものであるが、第３ｂレンズ群Ｇ３ｂ以外のレンズ群を防振レンズ群としたズームレンズ系や防振機能を搭載しないズームレンズ系にあっても、第３ｂレンズ群Ｇ３ｂ中の空気レンズによって、設計自由度が高められるため、高い光学性能を得ることができる。すなわち、第３ｂレンズ群Ｇ３ｂを防振レンズ群とすることは、本発明のズームレンズ系の必須の構成要素ではない。
【００３７】
条件式（１）は、第３ｂレンズ群Ｇ３ｂ中の空気レンズの形状を規定している。条件式（１）を満足することで、空気レンズの面間偏芯による収差変動を抑えて実用上の性能を維持するとともに、防振レンズ群である第３ｂレンズ群Ｇ３ｂの偏芯に伴う偏芯コマ収差を良好に補正することができる。
条件式（１）の上限を超えると、第３ｂレンズ群Ｇ３ｂ中の空気レンズの両面で過大な球面収差の打ち消しが発生し、空気レンズの面間偏芯による収差変動が大きくなり、実用上の性能を維持することが難しくなる。
条件式（１）の下限を超えると、防振レンズ群である第３ｂレンズ群Ｇ３ｂの偏芯に伴う偏芯コマ収差が補正不足になる。
【００３８】
条件式（２）は、第３ａレンズ群Ｇ３ａの形状を規定している。条件式（２）を満足することで、変倍に伴う軸上色収差、倍率色収差の変動を抑えるとともに、コマ収差を良好に補正することができる。
条件式（２）の上限を超えると、変倍に伴う軸上色収差、倍率色収差の変動が大きくなる。
条件式（２）の下限を超えると、コマ収差が補正不足になる。
【００３９】
条件式（３）は、第３ａレンズ群Ｇ３ａと第３ｂレンズ群Ｇ３ｂとの間の空気レンズの形状を規定している。条件式（３）を満足することで、変倍に伴う軸上色収差、倍率色収差の変動を抑えるとともに、コマ収差、特に防振レンズ群である第３ｂレンズ群Ｇ３ｂの偏芯に伴う偏芯コマ収差を良好に補正することができる。
条件式（３）の上限を超えると、コマ収差が補正不足になる。
条件式（３）の下限を超えると、変倍に伴う軸上色収差、倍率色収差の変動が大きくなる。
【００４０】
条件式（４）および（５）は、防振レンズ群である第３ｂレンズ群Ｇ３ｂが単位量偏芯した場合の像ずれ量を表す防振感度を規定している。条件式（４）および（５）を満足することで、防振レンズ群である第３ｂレンズ群Ｇ３ｂの移動量を適切に設定し、第３ｂレンズ群Ｇ３ｂの偏芯に伴う収差変動を良好に補正することができる。
条件式（４）および（５）の上限を超えると、防振感度が過小となり、同じぶれ量に対する防振レンズ群の移動量が増大し、防振レンズ群を駆動する機構に対する負担が大きくなるので好ましくない。
条件式（４）および（５）の下限を超えると、防振レンズ群の屈折力が過大となり、ぶれ補正にともなう防振レンズ群の位置制御に高い精度が必要となる。また第３ｂレンズ群Ｇ３ｂの偏芯に伴う偏芯コマ収差を補正することが難しくなる。
【実施例】
【００４１】
次に具体的な数値実施例１−６を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００４２】
［数値実施例１］
図１〜図１０と表１〜表５は、本発明によるズームレンズ系の数値実施例１を示している。図１は短焦点距離端における無限遠合焦時のレンズ構成図である。図２、図３は短焦点距離端における無限遠合焦時の諸収差図と横収差図、図４、図５は中間焦点距離における無限遠合焦時の諸収差図と横収差図、図６、図７は長焦点距離端における無限遠合焦時の諸収差図と横収差図である。図８、図９、図１０はそれぞれ短焦点距離端、中間焦点距離、長焦点距離端における無限遠合焦時に防振レンズ群を偏芯したとき（防振駆動したとき）の横収差図である。表１は面データ、表２は非球面データ、表３は各種データ、表４は防振駆動データ、表５はズームレンズ群データである。
【００４３】
本数値実施例１のズームレンズ系は、物体側から順に、負の屈折力の第１レンズ群Ｇ１、正の屈折力の第２レンズ群Ｇ２、負の屈折力の第３レンズ群Ｇ３および正の屈折力の第４レンズ群Ｇ４からなる。第２レンズ群Ｇ２と第３レンズ群Ｇ３との間には絞りＳが位置しており、この絞りＳは、第２レンズ群Ｇ２と一体に移動する。
【００４４】
第１レンズ群Ｇ１は、物体側から順に、物体側に凸の負メニスカスレンズ１１、物体側に凸の負メニスカスレンズ１２、両凹負レンズ１３および両凸正レンズ１４からなる。負メニスカスレンズ１１は、ガラスレンズの像側の面に合成樹脂材料による非球面層が接着形成されたハイブリッドレンズからなる。
【００４５】
第２レンズ群Ｇ２は、物体側から順に、物体側に凸の正メニスカスレンズ２１、物体側から順に位置する物体側に凸の負メニスカスレンズ２２と両凸正レンズ２３の接合レンズ、および両凸正レンズ２４からなる。
【００４６】
第３レンズ群Ｇ３は、物体側から順に、負の屈折力の第３ａレンズ群Ｇ３ａと負の屈折力の第３ｂレンズ群Ｇ３ｂとからなる。
第３ｂレンズ群Ｇ３ｂは、光軸に略直交する方向に移動（偏芯）して結像位置を変位させることにより手ぶれ等に起因する像ぶれを補正する像ぶれ補正レンズ群（防振レンズ群）である。
第３ａレンズ群Ｇ３ａは、物体側から順に位置する両凹負レンズ３１と両凸正レンズ３２の接合レンズからなる。
第３ｂレンズ群Ｇ３ｂは、物体側から順に、両凹負レンズ（像側に凹面を向けた負単レンズ）３３と物体側に凸の正メニスカスレンズ（物体側に凸面を向けた正単レンズ）３４とからなり、この両凹負レンズ３３と正メニスカスレンズ３４との間に、物体側に凸のメニスカス形状の空気レンズが形成されている。
【００４７】
第４レンズ群Ｇ４は、物体側から順に、物体側から順に位置する両凸正レンズ４１と両凹負レンズ４２と両凸正レンズ４３の接合レンズ、および物体側から順に位置する両凹負レンズ４４と両凸正レンズ４５の接合レンズからなる。両凹負レンズ４４は、ガラスレンズの物体側の面に合成樹脂材料による非球面層が接着形成されたハイブリッドレンズからなる。
【００４８】
（表１）
面データ
面番号          R          d          N(d)        ν(d)
1            70.143      2.680      1.75500       52.3
2            27.200      0.280      1.52972       42.7
3*           23.398      9.810
4            94.152      1.650      1.72916       54.7
5            33.886      8.630
6          -111.219      2.000      1.61800       63.4
7            46.602      6.050
8            53.980      7.500      1.59551       39.2
9          -137.448        d9
10           49.645      3.980      1.57501       41.5
11          193.560      1.820
12           89.353      1.500      1.80610       33.3
13           28.082      7.080      1.51633       64.1
14         -120.510      5.863
15           90.623      3.400      1.48749       70.2
16         -144.997      1.730
17絞           ∞         d17
18         -137.164      1.500      1.81600       46.6
19           32.237      4.120      1.68893       31.1
20         -163.680      1.640
21         -131.661      1.500      1.83400       37.2
22          713.414      0.300
23           77.167      1.670      1.54814       45.8
24           92.600       d24
25           34.439      5.590      1.80000       29.9
26        -5000.000      1.500      1.80100       35.0
27           21.950     11.540      1.49700       81.6
28          -58.800      0.750
29*       -3241.071      0.200      1.52972       42.7
30        -3241.071      1.500      1.83400       37.2
31           33.728      7.980      1.48749       70.2
32          -77.015        -
（表２）
非球面データ
面番号   K          A4           A6           A8          A10
3    -1.000    0.3017E-05  -0.1883E-09   0.1208E-11  -0.3174E-14
29    0.000   -0.3441E-05   0.1181E-08  -0.3217E-11   0.3495E-13
（表３）
各種データ
ズーム比（変倍比）    1.53
短焦点距離端          中間焦点距離          長焦点距離端
FNO.            4.6                   4.6                   4.6
f             28.70                 35.00                 43.87
W              45.3                  38.8                  32.2
Y             27.80                 27.80                 27.80
fB            66.64                 74.50                 83.99
L            222.72                218.85                219.26
d9           24.418                15.585                 8.631
d17           4.730                 9.698                17.061
d24          23.162                15.301                 5.816
（表４）
防振駆動データ
短焦点距離端          中間焦点距離          長焦点距離端
レンズ移動量          0.30                  0.33                  0.37
像移動量             -0.15                 -0.18                 -0.23
補正角度              0.30                  0.30                  0.30
（表５）
ズームレンズ群データ
群          始面          焦点距離
1              1            -29.26
2             10             53.52
3             18            -82.15
4             25             71.59
【００４９】
［数値実施例２］
図１１〜図２０と表６〜表１０は、本発明によるズームレンズ系の数値実施例２を示している。図１１は短焦点距離端における無限遠合焦時のレンズ構成図である。図１２、図１３は短焦点距離端における無限遠合焦時の諸収差図と横収差図、図１４、図１５は中間焦点距離における無限遠合焦時の諸収差図と横収差図、図１６、図１７は長焦点距離端における無限遠合焦時の諸収差図と横収差図である。図１８、図１９、図２０はそれぞれ短焦点距離端、中間焦点距離、長焦点距離端における無限遠合焦時に防振レンズ群を偏芯したとき（防振駆動したとき）の横収差図である。表６は面データ、表７は非球面データ、表８は各種データ、表９は防振駆動データ、表１０はズームレンズ群データである。
【００５０】
この数値実施例２のレンズ構成は、数値実施例１のレンズ構成と同様である。
【００５１】
（表６）
面データ
面番号          R          d          N(d)        ν(d)
1            69.831      3.120      1.78590       44.2
2            27.200      0.200      1.52972       42.7
3*           22.911      8.050
4            52.344      1.650      1.75500       52.3
5            29.769      9.280
6           -72.757      2.000      1.61800       63.4
7            45.461      5.290
8            52.269      8.640      1.56732       42.8
9           -95.077        d9
10           53.398      3.400      1.54814       45.8
11          125.856      2.340
12          104.138      1.500      1.80000       29.9
13           28.684      6.980      1.58144       40.7
14         -153.716      6.340
15           78.510      3.670      1.49700       81.6
16         -125.616      1.610
17絞           ∞         d17
18         -111.884      1.500      1.83481       42.7
19           32.327      4.290      1.68893       31.1
20         -124.154      1.080
21        -1204.327      1.500      1.85026       32.3
22          139.318      0.370
23           56.411      1.770      1.80518       25.4
24           67.230       d24
25           35.945      6.200      1.80100       35.0
26        -1000.000      1.500      1.83400       37.2
27           23.047      11.480     1.49700       81.6
28          -53.099      0.750
29*       -3272.914      0.200      1.52972       42.7
30        -3272.914      1.500      1.83400       37.2
31           37.277      7.310      1.48749       70.2
32          -94.390        -
（表７）
非球面データ
面番号   K          A4           A6           A8          A10
3    -1.000    0.2447E-05  -0.3260E-09  -0.1948E-12  -0.1958E-14
29    0.000   -0.3209E-05   0.2326E-09   0.2241E-12   0.2444E-13
（表８）
各種データ
ズーム比（変倍比）    1.53
短焦点距離端          中間焦点距離          長焦点距離端
FNO.            4.6                   4.6                   4.6
f             28.70                 35.00                 43.87
W              45.3                  38.8                  32.3
Y             27.80                 27.80                 27.80
fB            65.85                 73.70                 83.45
L            222.79                218.27                217.87
d9           25.085                15.485                 7.751
d17           4.920                10.001                17.329
d24          23.413                15.564                 5.816
（表９）
防振駆動データ
短焦点距離端          中間焦点距離          長焦点距離端
レンズ移動量          0.42                  0.47                  0.52
像移動量             -0.15                 -0.18                 -0.23
補正角度              0.30                  0.30                  0.30
（表１０）
ズームレンズ群データ
群          始面          焦点距離
1              1            -29.97
2             10             54.37
3             18            -91.34
4             25             76.53
【００５２】
［数値実施例３］
図２１〜図３０と表１１〜表１５は、本発明によるズームレンズ系の数値実施例３を示している。図２１は短焦点距離端における無限遠合焦時のレンズ構成図である。図２２、図２３は短焦点距離端における無限遠合焦時の諸収差図と横収差図、図２４、図２５は中間焦点距離における無限遠合焦時の諸収差図と横収差図、図２６、図２７は長焦点距離端における無限遠合焦時の諸収差図と横収差図である。図２８、図２９、図３０はそれぞれ短焦点距離端、中間焦点距離、長焦点距離端における無限遠合焦時に防振レンズ群を偏芯したとき（防振駆動したとき）の横収差図である。表１１は面データ、表１２は非球面データ、表１３は各種データ、表１４は防振駆動データ、表１５はズームレンズ群データである。
【００５３】
この数値実施例３のレンズ構成は、以下の点を除いて、数値実施例１のレンズ構成と同様である。
（１）第３ｂレンズ群Ｇ３ｂの負単レンズ（像側に凹面を向けた負単レンズ）３３が、物体側に凸の負メニスカスレンズからなる。
【００５４】
（表１１）
面データ
面番号          R          d          N(d)        ν(d)
1            65.846      2.160      1.80610       40.9
2            27.341      0.200      1.52972       42.7
3*           23.079      7.840
4            52.160      1.650      1.74100       52.7
5            29.806     10.810
6           -77.937      1.900      1.64000       60.1
7            48.710      5.650
8            55.331      9.120      1.59551       39.2
9          -109.115        d9
10           51.629      4.770      1.53172       48.9
11          182.790      2.150
12          101.662      1.500      1.80000       29.9
13           27.218      7.340      1.58144       40.7
14         -137.754      6.226
15           86.979      3.440      1.49700       81.6
16         -148.336      1.740
17絞           ∞         d17
18          -96.136      1.500      1.83481       42.7
19           36.406      3.980      1.69895       30.1
20         -128.522      1.080
21         4320.238      1.500      1.83400       37.2
22          114.364      0.580
23           63.061      1.770      1.79504       28.7
24           81.995       d24
25           42.173      5.000      1.80440       39.6
26        -1000.000      1.500      1.80610       40.9
27           26.070     10.840      1.49700       81.6
28          -54.507      0.750
29*       -1623.804      0.200      1.52972     42.7
30        -1623.804      1.500      1.83400     37.2
31           37.653      7.430      1.49700     81.6
32          -83.132        -
（表１２）
非球面データ
面番号   K          A4           A6           A8          A10
3    -1.000    0.2674E-05  -0.4322E-09   0.7364E-12  -0.2496E-14
29    0.000   -0.2701E-05   0.5859E-09  -0.4420E-12   0.1221E-13
（表１３）
各種データ
ズーム比（変倍比）    1.56
短焦点距離端          中間焦点距離          長焦点距離端
FNO.            4.6                   4.6                   4.6
f             28.70                 35.00                 44.66
W              45.3                  38.8                  31.8
Y             27.80                 27.80                 27.80
fB            66.13                 73.78                 86.00
L            221.68                217.39                217.96
d9           25.639                15.262                 5.791
d17           4.920                10.014                16.224
d24          20.866                14.202                 5.816
（表１４）
防振駆動データ
短焦点距離端          中間焦点距離          長焦点距離端
レンズ移動量          0.45                  0.51                  0.58
像移動量             -0.15                 -0.18                 -0.23
補正角度              0.30                  0.30                  0.30
（表１５）
ズームレンズ群データ
群          始面          焦点距離
1              1            -30.51
2             10             53.49
3             18            -89.40
4             25             78.14
【００５５】
［数値実施例４］
図３１〜図４０と表１６〜表２０は、本発明によるズームレンズ系の数値実施例４を示している。図３１は短焦点距離端における無限遠合焦時のレンズ構成図である。図３２、図３３は短焦点距離端における無限遠合焦時の諸収差図と横収差図、図３４、図３５は中間焦点距離における無限遠合焦時の諸収差図と横収差図、図３６、図３７は長焦点距離端における無限遠合焦時の諸収差図と横収差図である。図３８、図３９、図４０はそれぞれ短焦点距離端、中間焦点距離、長焦点距離端における無限遠合焦時に防振レンズ群を偏芯したとき（防振駆動したとき）の横収差図である。表１６は面データ、表１７は非球面データ、表１８は各種データ、表１９は防振駆動データ、表２０はズームレンズ群データである。
【００５６】
この数値実施例４のレンズ構成は、以下の点を除いて、数値実施例１のレンズ構成と同様である。
（１）第４レンズ群Ｇ４において、正レンズ４１が物体側に凸の平凸正レンズからなり、負レンズ４２が像側に凹の平凹負レンズからなる。
【００５７】
（表１６）
面データ
面番号          R          d          N(d)        ν(d)
1            67.231      3.000      1.81600       46.6
2            25.667      0.200      1.52972       42.7
3*           21.526      9.050
4            61.714      1.650      1.72916       54.7
5            35.265      9.010
6           -73.925      1.650      1.61800       63.4
7            45.555      5.350
8            55.892      9.670      1.61340       44.3
9          -107.223        d9
10           67.588      3.290      1.59270       35.3
11          210.129      2.180
12          133.613      1.500      1.80000       29.9
13           30.653      6.610      1.59551       39.2
14         -170.797      6.487
15           60.717      4.200      1.43875       95.0
16         -113.763      1.450
17絞           ∞         d17
18         -153.492      1.500      1.81600       46.6
19           30.409      4.840      1.65412       39.7
20          -85.686      0.830
21         -146.449      1.500      1.83400       37.2
22           88.637      0.840
23           72.008      2.180      1.80518       25.4
24          218.003       d24
25           33.784      6.300      1.76200       40.1
26             ∞        1.500      1.83481       42.7
27           22.070     11.680      1.49700       81.6
28          -54.280      0.750
29*       -4942.873      0.300      1.52972       42.7
30        -4942.873      1.500      1.83400       37.2
31           37.317      7.170      1.48749       70.2
32         -102.018        -
（表１７）
非球面データ
面番号   K          A4           A6           A8          A10
3    -1.000    0.3705E-05  -0.3363E-09   0.2667E-11  -0.5605E-14
29    0.000   -0.3038E-05   0.1496E-08  -0.4796E-11   0.4379E-13
（表１８）
各種データ
ズーム比（変倍比）    1.53
短焦点距離端          中間焦点距離          長焦点距離端
FNO.            4.6                   4.6                   4.6
f             28.70                 35.00                 43.87
W              45.3                  39.0                  32.4
Y             27.80                 27.80                 27.80
fB            67.86                 76.60                 87.13
L            229.34                223.75                222.47
d9           25.017                15.078                 7.178
d17           4.760                 9.110                15.727
d24          25.512                16.772                 6.242
（表１９）
防振駆動データ
短焦点距離端          中間焦点距離          長焦点距離端
レンズ移動量          0.24                  0.26                  0.30
像移動量             -0.15                 -0.18                 -0.23
補正角度              0.30                  0.30                  0.30
（表２０）
ズームレンズ群データ
群          始面          焦点距離
1              1            -29.66
2             10             54.78
3             18            -94.44
4             25             80.48
【００５８】
［数値実施例５］
図４１〜図５０と表２１〜表２５は、本発明によるズームレンズ系の数値実施例５を示している。図４１は短焦点距離端における無限遠合焦時のレンズ構成図である。図４２、図４３は短焦点距離端における無限遠合焦時の諸収差図と横収差図、図４４、図４５は中間焦点距離における無限遠合焦時の諸収差図と横収差図、図４６、図４７は長焦点距離端における無限遠合焦時の諸収差図と横収差図である。図４８、図４９、図５０はそれぞれ短焦点距離端、中間焦点距離、長焦点距離端における無限遠合焦時に防振レンズ群を偏芯したとき（防振駆動したとき）の横収差図である。表２１は面データ、表２２は非球面データ、表２３は各種データ、表２４は防振駆動データ、表２５はズームレンズ群データである。
【００５９】
この数値実施例５のレンズ構成は、数値実施例４のレンズ構成と同様である。
【００６０】
（表２１）
面データ
面番号          R          d          N(d)        ν(d)
1            69.640      2.050      1.77250       49.6
2            27.201      0.200      1.52972       42.7
3*           23.035      9.700
4            66.845      1.950      1.72916       54.7
5            32.191      8.670
6           -87.917      2.330      1.61800       63.4
7            46.539      5.240
8            53.814      8.950      1.61340       44.3
9          -122.685        d9
10           56.394      3.480      1.58144       40.7
11          177.940      2.360
12          140.867      1.500      1.80000       29.9
13           28.694      6.660      1.59551       39.2
14         -173.644      6.545
15           72.548      3.820      1.49700       81.6
16         -116.078      1.570
17絞           ∞         d17
18          -84.818      1.500      1.81600       46.6
19           35.711      4.600      1.65412       39.7
20          -67.461      0.960
21         -159.881      1.500      1.83400       37.2
22           71.757      0.940
23           66.173      2.360      1.80518       25.4
24          387.509       d24
25           34.203      5.600      1.80610       40.9
26             ∞        1.530      1.83481       42.7
27           22.017     11.650      1.49700       81.6
28          -55.216      1.210
29*       -3234.831      0.300      1.52972       42.7
30        -3234.831      2.550      1.83400       37.2
31           34.948      7.350      1.48749       70.2
32         -100.886        -
（表２２）
非球面データ
面番号   K          A4           A6           A8          A10
3    -1.000    0.2965E-05  -0.1833E-09   0.9625E-12  -0.2739E-14
29    0.000   -0.3186E-05   0.1201E-08  -0.2848E-11   0.3902E-13
（表２３）
各種データ
ズーム比（変倍比）    1.53
短焦点距離端          中間焦点距離          長焦点距離端
FNO.            4.6                   4.6                   4.6
f             28.70                 35.00                 43.88
W              45.3                  38.9                  32.3
Y             27.80                 27.80                 27.80
fB            66.07                 74.13                 84.10
L            226.87                221.82                220.84
d9           24.743                14.965                 7.088
d17           5.032                 9.756                16.650
d24          23.954                15.895                 5.930
（表２４）
防振駆動データ
短焦点距離端          中間焦点距離          長焦点距離端
レンズ移動量          0.27                  0.31                  0.34
像移動量             -0.15                 -0.18                 -0.23
補正角度              0.30                  0.30                  0.30
（表２５）
ズームレンズ群データ
群          始面          焦点距離
1              1            -30.04
2             10             54.15
3             18            -91.26
4             25             78.60
【００６１】
［数値実施例６］
図５１〜図６０と表２６〜表３０は、本発明によるズームレンズ系の数値実施例６を示している。図５１は短焦点距離端における無限遠合焦時のレンズ構成図である。図５２、図５３は短焦点距離端における無限遠合焦時の諸収差図と横収差図、図５４、図５５は中間焦点距離における無限遠合焦時の諸収差図と横収差図、図５６、図５７は長焦点距離端における無限遠合焦時の諸収差図と横収差図である。図５８、図５９、図６０はそれぞれ短焦点距離端、中間焦点距離、長焦点距離端における無限遠合焦時に防振レンズ群を偏芯したとき（防振駆動したとき）の横収差図である。表２６は面データ、表２７は非球面データ、表２８は各種データ、表２９は防振駆動データ、表３０はズームレンズ群データである。
【００６２】
この数値実施例６のレンズ構成は、以下の点を除いて、数値実施例１のレンズ構成と同様である。
（１）第３ｂレンズ群Ｇ３ｂの正単レンズ（物体側に凸面を向けた正単レンズ）３４が、両凸正レンズからなる。
（２）第４レンズ群Ｇ４において、正レンズ４１が物体側に凸の平凸正レンズからなり、負レンズ４２が像側に凹の平凹負レンズからなる。
【００６３】
（表２６）
面データ
面番号          R          d          N(d)        ν(d)
1            69.709      2.050      1.81600       46.6
2            27.200      0.200      1.52972       42.7
3*           23.155     11.240
4            80.081      1.650      1.72916       54.7
5            34.215      9.200
6           -98.912      1.650      1.61800       63.4
7            50.268      4.760
8            53.858      8.750      1.61340       44.3
9          -139.418        d9
10           56.720      4.150      1.54814       45.8
11          416.325      3.230
12          125.462      1.500      1.80000       29.9
13           27.385      6.790      1.60342       38.0
14         -198.527      5.968
15           77.525      3.680      1.49700       81.6
16         -124.041      1.640
17絞           ∞         d17
18         -184.268      1.500      1.83481       42.7
19           35.239      3.640      1.68893       31.1
20         -726.166      1.670
21         -140.451      1.500      1.73800       32.3
22           92.902      1.050
23           99.582      2.410      1.80518       25.4
24         -571.932       d24
25           33.853      5.620      1.79952       42.2
26             ∞        1.500      1.83481       42.7
27           21.985     11.550      1.49700       81.6
28          -56.304      0.750
29*       -1045.712      0.200      1.52972       42.7
30        -1045.712      1.500      1.83400       37.2
31           35.798      7.540      1.48749       70.2
32          -86.473        -
（表２７）
非球面データ
面番号   K          A4           A6           A8          A10
3    -1.000    0.2945E-05   0.5941E-09  -0.7814E-13  -0.1062E-14
29    0.000   -0.3313E-05   0.8377E-09   0.6548E-12   0.2894E-13
（表２８）
各種データ
ズーム比（変倍比）    1.53
短焦点距離端          中間焦点距離          長焦点距離端
FNO.            4.6                   4.6                   4.6
f             28.70                 35.00                 43.87
W              45.3                  38.9                  32.3
Y             27.80                 27.80                 27.80
fB            65.85                 74.18                 84.16
L            224.65                219.91                219.49
d9           23.113                13.673                 6.142
d17           4.670                 9.374                16.484
d24          24.124                15.796                 5.820
（表２９）
防振駆動データ
短焦点距離端          中間焦点距離          長焦点距離端
レンズ移動量          0.52                  0.59                  0.66
像移動量             -0.15                 -0.18                 -0.23
補正角度              0.30                  0.30                  0.30
（表３０）
ズームレンズ群データ
群          始面          焦点距離
1              1            -28.94
2             10             52.51
3             18            -88.53
4             25             77.64
【００６４】
各数値実施例の各条件式に対する値を表３１に示す。
（表３１）
実施例１      実施例２      実施例３
条件式（１）      0.11          0.40          0.55
条件式（２）     -0.09         -0.05         -0.14
条件式（３）      0.11         -0.81         -1.06
条件式（４）     -0.51         -0.36         -0.34
条件式（５）     -0.62         -0.44         -0.41
実施例４      実施例５      実施例６
条件式（１）      0.81          0.92          1.07
条件式（２）      0.28          0.11         -0.60
条件式（３）     -0.26         -0.41          0.68
条件式（４）     -0.64         -0.55         -0.29
条件式（５）     -0.78         -0.67         -0.35
【００６５】
表３１から明らかなように、数値実施例１〜数値実施例６は、条件式（１）〜（５）を満足しており、諸収差図及び横収差図から明らかなように諸収差及び横収差は比較的よく補正されている。
【００６６】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【００６７】
Ｇ１  負の屈折力の第１レンズ群
１１  負レンズ
１２  負レンズ
１３  負レンズ
１４  正レンズ
Ｇ２  正の屈折力の第２レンズ群
２１  正レンズ
２２  負レンズ
２３  正レンズ
２４  正レンズ
Ｇ３  負の屈折力の第３レンズ群
Ｇ３ａ  負の屈折力の第３ａレンズ群
３１  負レンズ
３２  正レンズ
Ｇ３ｂ  負の屈折力の第３ｂレンズ群（像ぶれ補正レンズ群、防振レンズ群）
３３  負レンズ（像側に凹面を向けた負単レンズ）
３４  正レンズ（物体側に凸面を向けた正単レンズ）
Ｇ４  正の屈折力の第４レンズ群
４１  正レンズ
４２  負レンズ
４３  正レンズ
４４  負レンズ
４５  正レンズ
Ｓ  絞り
Ｉ  像面
【図１】
2015087680.tif 000003
【図２】
2015087680.tif 000004
【図３】
2015087680.tif 000005
【図４】
2015087680.tif 000006
【図５】
2015087680.tif 000007
【図６】
2015087680.tif 000008
【図７】
2015087680.tif 000009
【図８】
2015087680.tif 000010
【図９】
2015087680.tif 000011
【図１０】
2015087680.tif 000012
【図１１】
2015087680.tif 000013
【図１２】
2015087680.tif 000014
【図１３】
2015087680.tif 000015
【図１４】
2015087680.tif 000016
【図１５】
2015087680.tif 000017
【図１６】
2015087680.tif 000018
【図１７】
2015087680.tif 000019
【図１８】
2015087680.tif 000020
【図１９】
2015087680.tif 000021
【図２０】
2015087680.tif 000022
【図２１】
2015087680.tif 000023
【図２２】
2015087680.tif 000024
【図２３】
2015087680.tif 000025
【図２４】
2015087680.tif 000026
【図２５】
2015087680.tif 000027
【図２６】
2015087680.tif 000028
【図２７】
2015087680.tif 000029
【図２８】
2015087680.tif 000030
【図２９】
2015087680.tif 000031
【図３０】
2015087680.tif 000032
【図３１】
2015087680.tif 000033
【図３２】
2015087680.tif 000034
【図３３】
2015087680.tif 000035
【図３４】
2015087680.tif 000036
【図３５】
2015087680.tif 000037
【図３６】
2015087680.tif 000038
【図３７】
2015087680.tif 000039
【図３８】
2015087680.tif 000040
【図３９】
2015087680.tif 000041
【図４０】
2015087680.tif 000042
【図４１】
2015087680.tif 000043
【図４２】
2015087680.tif 000044
【図４３】
2015087680.tif 000045
【図４４】
2015087680.tif 000046
【図４５】
2015087680.tif 000047
【図４６】
2015087680.tif 000048
【図４７】
2015087680.tif 000049
【図４８】
2015087680.tif 000050
【図４９】
2015087680.tif 000051
【図５０】
2015087680.tif 000052
【図５１】
2015087680.tif 000053
【図５２】
2015087680.tif 000054
【図５３】
2015087680.tif 000055
【図５４】
2015087680.tif 000056
【図５５】
2015087680.tif 000057
【図５６】
2015087680.tif 000058
【図５７】
2015087680.tif 000059
【図５８】
2015087680.tif 000060
【図５９】
2015087680.tif 000061
【図６０】
2015087680.tif 000062
【図６１】
2015087680.tif 000063
【図６２】
2015087680.tif 000064